(57)【要約】      （修正有）【課題】各ユーザ端末の表示画面サイズに関わらず、共通閲覧用画面を統一した画面構成とすることができ、且つ通信速度の程度に関わらず、リアルタイムでホワイトボード画面を表示することができる電子協調作業システムを提供する。【解決手段】無線電子協調作業システム１００は、ディスプレイ１０１ａを備える中央制御端末１０１と、ディスプレイ１０１ａより画素サイズが大きいディスプレイ１０３ａを備えるユーザ端末１０３と、ディスプレイ１０１ａより画素サイズが小さいディスプレイ１０４ａを備えるユーザ端末１０４と、ディスプレイ１０１ａと画素サイズが同一のディスプレイ１０５ａを備えるユーザ端末１０５とから構成される。各ユーザ端末１０３〜１０５の基本表示サイズが無線回線容量及び表示能力に基づいて規定され、この規定された基本表示サイズに基づいてホワイトボード画面構成データが中央制御端末１０１より送付される。【選択図】      図１
2004280540.tif 000002
【特許請求の範囲】
【請求項１】
２以上の通信方式により無線通信を行う無線通信手段及び共通閲覧用画面の表示を制御する表示手段を備える中央制御装置と、前記通信方式の一つにより前記中央制御装置と無線通信を行う他の無線通信手段及び他の共通閲覧用画面を表示する他の表示手段を備える複数のユーザ端末を有する電子協調作業システムにおいて、
前記中央制御装置は、
前記表示する共通閲覧用画面を構築する構築手段と、
前記ユーザ端末毎に無線回線容量を判別する容量判別手段と、
前記ユーザ端末毎に表示能力を判別する表示能力判別手段と、
前記ユーザ端末毎に判別された無線回線容量及び表示能力に基づいて、前記ユーザ端末毎に前記他の共通閲覧用画面の基本表示サイズを規定する基本表示サイズ規定手段と、
前記規定された基本表示サイズをデータ送信する基本表示サイズ送信手段と備え、
前記他の表示手段は、
前記送信された基本表示サイズで他の共通閲覧用画面を表示すること特徴とする電子協調作業システム。
【発明の詳細な説明】
【０００１】
【発明の属する技術分野】
本発明は、電子協調作業システムに関し、特に、ネットワーク接続された各端末で同じアプリケーションを起動して協調作業を実行する電子協調作業システムに関する。
【０００２】
【従来の技術】
近年、ＰＣとプロジェクタによる電子プレゼンテーション手法が一般的になり、また、ＮｏｔｅＰＣが共有資産としてでなく、個人端末として用いられるにまで普及してきたことにより、一般的な会議においても、参加者全員が各々個人端末を持ち込むＰＣベースでの会議運営が普及しつつある。
【０００３】
一般的な会議運営手法の１つとして、参加者全員が同時に閲覧できるようホワイトボード上に参加者からの意見を書き出し、参加者全員がそれを共有する形で検討を進めるフリーディスカッション方式がある。これをＰＣベースの電子会議に当てはめた場合、ホワイトボードの代わりに、１台の端末に接続された液晶プロジェクタ等の大画面ディスプレイを用いることとなる。
【０００４】
しかし、大画面ディスプレイに表示されるのはこのディスプレイが接続された端末の画面のみである為、参加者全員が夫々の個人端末を用いて、自由に自分の意見やアイデアをこのディスプレイ上に書き込むことは基本的にはできない。その為、書記担当の参加者の端末を大画面ディスプレイに接続し、他の参加者は自分の意見やアイデアをこの書記担当の参加者に依頼することにより、このディスプレイ上に表示するという手法が一般に取られていた。しかし、この場合は各個人の微妙な表現を伝えるのに労力を必要とし、一度に一人ずつの処理しか出来ない等の欠点があった。
【０００５】
そこで、参加者の持ち込んだ個人端末同士がネットワーク接続されたＰＣベースでの会議運営が導入されつつある。例えば、ＨＵＢ装置とＬＡＮ配線とを予め会議室に備え付けで用意し、参加者が持ち込んだ個人端末同士をネットワーク接続することで、参加者が自分の端末で作成した資料をネットワーク上に共有開放する。これによって、大画面ディスプレイが接続されている端末を使用する書記担当の参加者は、ＧＵＩ上にこの共有解放されたデータをコピーするだけで容易に各参加者の意見やアイデアを簡単にディスプレイ表示することが可能となる。
【０００６】
しかし、このような会議運営であっても、書記担当の参加者の入力作業の労力は軽減できるものの、大画面ディスプレイに接続された端末に処理が集中する点は同様であり、同時に複数の参加者が書き込むことが出来ないという問題点も依然解決されない。
【０００７】
そこで、これらの点を解決する手段として、ネットワーク共有された複数の端末から同時に書き込みを行える、電子ホワイトボードアプリケーションを用いた協調作業システムが考案されている。
【０００８】
電子ホワイトボードアプリケーションとは、ネットワーク共有された複数の端末上で起動すると、各端末の画面にホワイトボード画面を表示すると共に、このアプリケーションを起動した端末同士をグループ化するものをいう。グループ化された端末の１つが端末の画面に表示されたホワイトボード画面に書き込みを行うと、その書き込み内容は逐一グループ化された端末全ての端末の画面に表示されたホワイトボード画面に反映される。これにより、複数の参加者がこのホワイトボード画面に同時に書き込みすることができるようになる。
【０００９】
さらに、端末の１つをサーバ端末とし、このサーバ端末が各端末で書き込んだ内容を一時的にバッファリングした後に処理を行って、処理された内容を全て反映した画面データを構築し、その後、これをホワイトボード画面用のデータとしてグループ化された各端末に配布するものがある。これにより、各端末により任意のタイミングで書き込まれた内容が仮に時間的に一致したとしても、サーバ端末がこれらの内容を余す事無くホワイトボード画面に反映させることができる。
【００１０】
しかしながら、ＮｏｔｅＰＣの普及が進むにつれて、その製品形態も多様化しており、画面表示サイズの異なる様々なものが現在存在する。
【００１１】
即ち、かつてはＮｏｔｅＰＣの表示サイズは８００×６００ドットのものが大半を占めていたが、現在では１０２４×７６８のＸＧＡサイズのものが主流であり、一方、更に高精細な１２８０×１０２４や１６００×１２００の画面サイズを持つものや、逆に８００×６００やそれ以下のサイズにして携帯性を向上したもの等、さまざまな画面サイズの製品が流通するようになっている。
【００１２】
さらに、より小さな３２０×２４０ドット等の画面サイズであるＰＤＡの高機能化が進むことで、低価格帯のＮｏｔｅＰＣとの機能差が縮まり、ＮｏｔｅＰＣと同等の使われ方をする機会が増えてきている。
【００１３】
このような状況下においては、参加者の夫々が自分で持ち込んだ個人端末で上述の協調作業システムを実現しようとすると、前述したように様々な画面サイズの端末がグループ端末となる為、サーバ端末が構築した画面データを一律に各グループ端末に配布しても、各端末に表示されるホワイトボード画面が共通閲覧用の統一された画面構成とならない場合があるという問題がある。
【００１４】
そこで、従来は、サーバ端末よりも小さい画面サイズしか持たない端末上では、その表示領域内においてはサーバ端末の表示領域内のうち特定の部分のみを切り取る形で表示し、切り取る表示領域を上下左右に任意に移動可能とすることで、全体としてはサーバ端末の表示領域と同等の表示領域を確保することが可能としている（例えば、特許文献１参照）。
【００１５】
【特許文献１】
特開平１０−１２６７５８号公報
【００１６】
【発明が解決しようとする課題】
しかしながら、この手法では依然としてサーバ端末の画面全体の表示内容を一目で把握することは困難である。
【００１７】
また、別の問題として、ネットワークトラフィックの負荷量の問題も発生している。すなわち、個人端末同士をネットワーク接続する手段として、上述した有線ＬＡＮ通信によるものでなく、無線ＬＡＮ通信によるものが普及してきている。ホワイトボード画面を画像データとして各端末に配布する場合、多量のデータ通信トラフィックが生じることになるが、無線ＬＡＮ通信では有線ＬＡＮ通信に比べて通信速度が低速である為、リアルタイムでの画面の再構成がしにくくなる。
【００１８】
特にＰＤＡの様な小型端末では、ＬＡＮを構築する為の無線通信技術の中でも、比較的消費電力の低いＢｌｕｅｔｏｏｔｈ等の低速無線通信を用いる可能性が高く、その場合は通信速度の低下はより顕著になる。
【００１９】
本発明の目的は、各ユーザ端末の表示画面サイズに関わらず、共通閲覧用画面を統一した画面構成とすることができ、且つ通信速度の程度に関わらず、リアルタイムでホワイトボード画面を表示することができる電子協調作業システムを提供することにある。
【００２０】
【課題を解決するための手段】
上記目的を達成するために、請求項１記載の電子協調作業システムは、２以上の通信方式により無線通信を行う無線通信手段及び共通閲覧用画面の表示を制御する表示手段を備える中央制御装置と、前記通信方式の一つにより前記中央制御装置と無線通信を行う他の無線通信手段及び他の共通閲覧用画面を表示する他の表示手段を備える複数のユーザ端末を有する電子協調作業システムにおいて、前記中央制御装置は、前記表示する共通閲覧用画面を構築する構築手段と、前記ユーザ端末毎に無線回線容量を判別する容量判別手段と、前記ユーザ端末毎に表示能力を判別する表示能力判別手段と、前記ユーザ端末毎に判別された無線回線容量及び表示能力に基づいて、前記ユーザ端末毎に前記他の共通閲覧用画面の基本表示サイズを規定する基本表示サイズ規定手段と、前記規定された基本表示サイズをデータ送信する基本表示サイズ送信手段と備え、前記他の表示手段は、前記送信された基本表示サイズで他の共通閲覧用画面を表示すること特徴とする。
【００２１】
【発明の実施の形態】
以下、本発明の実施の形態に係る無線電子協調作業システムを図面を用いて詳説する。
【００２２】
図１は、本発明の実施の形態に係る無線電子協調作業システムの構成図である。
【００２３】
図１において、本発明の実施の形態に係る無線電子協調作業システム１００は、無線電子協調作業システム１００全体の制御を行なう中央制御端末１０１と、夫々別の参加者が持ち込んだ個人端末であるユーザ端末１０３〜１０５とから構成される。
【００２４】
中央制御端末１０１は、画素サイズが１０２４×７６８ドットの出力画面を表示するディスプレイ１０１ａ（表示手段）と、８０２．１１ｂにより無線通信を行う通信部１０１ｂ（無線通信手段）と、Ｂｌｕｅｔｏｏｔｈにより無線通信を行う通信部１０１ｃ（無線通信手段）と、ディスプレイ１０１ａに表示した出力画面を全てのユーザが閲覧可能なように拡大表示する液晶プロジェクタ１０２と、電子ホワイトボードアプリケーションを保存する不図示のＲＯＭとを備える。また、中央制御端末１０１は、上記電子ホワイトボードアプリケーションが起動しているとき、ディスプレイ１０１ａにホワイトボード画面２００ａ（共通閲覧用画面）を構築し、表示する。
【００２５】
本実施の形態に係る中央制御端末１０１は、８０２．１１ｂとＢｌｕｅｔｏｏｔｈの２つの方式により無線通信を行っているが、２以上の無線方式によりユーザ端末１０３〜１０５と通信を行うことができれば、通信方式は本実施の形態に係る方式に限定するものではない。
【００２６】
ユーザ端末１０３は、ＮｏｔｅＰＣであって、表示画素サイズが１６００×１２００ドットの出力画面を表示するディスプレイ１０３ａ（他の表示手段）と、８０２．１１ｂにより無線通信を行う通信部１０３ｂ（他の無線通信手段）と、電子ホワイトボードアプリケーションを保存する不図示のＲＯＭとを備える。また、ユーザ端末１０３は、上記電子ホワイトボードアプリケーションが起動しているとき、ディスプレイ１０３ａにホワイトボード画面２００ｂ（他の共通閲覧用画面）を表示する。
【００２７】
ユーザ端末１０４は、高機能ＰＤＡであって、表示画素サイズが２４０×３２０ドットの出力画面を表示するディスプレイ１０４ａ（他の表示手段）と、Ｂｌｕｅｔｏｏｔｈにより無線通信を行う通信部１０４ｂ（他の無線通信手段）と、電子ホワイトボードアプリケーションを保存する不図示のＲＯＭとを備える。また、ユーザ端末１０４は、上記電子ホワイトボードアプリケーションが起動しているとき、ディスプレイ１０４ａにホワイトボード画面２００ｂ（他の共通閲覧用画面）を表示する。
【００２８】
ユーザ端末１０５は、ＮｏｔｅＰＣであって、表示画素サイズが１０２４×７６８ドットの出力画面を表示するディスプレイ１０５ａ（他の表示手段）、Ｂｌｕｅｔｏｏｔｈにより無線通信を行う通信部１０５ｂ（他の無線通信手段）と、電子ホワイトボードアプリケーションを保存する不図示のＲＯＭとを備える。また、ユーザ端末１０５は、上記電子ホワイトボードアプリケーションが起動しているとき、ディスプレイ１０５ａにホワイトボード画面２００ｂ（他の共通閲覧用画面）を表示する。
【００２９】
無線電子協調作業システム１００を構成する中央制御端末１０１及びユーザ端末１０３〜１０５で電子ホワイトボードアプリケーションが起動しているとき、中央制御端末１０１及びユーザ端末１０３〜１０５のいずれか１つのディスプレイ上に表示されたホワイトボード画面に書き込みが行われると、その書き込み内容が逐一全ての端末のホワイトボード画面に反映される。
【００３０】
中央制御端末１０１は、ディスプレイ１０１ａに表示されるホワイトボード画面２００ａを構築すると共に、この画面と同一の画面を液晶プロジェクタ１０２に拡大表示する。
【００３１】
また、中央制御端末１０１は、ユーザ端末１０３〜１０５から各ディスプレイ１０３ａ〜１０５ａの画素サイズを画素サイズ情報として取得すると、後述する図５，図６の基本表示サイズ規定処理を行い、ユーザ端末１０３〜１０５に基本表示サイズ情報を送信する。ユーザ端末１０３〜１０５はこの送信された基本表示サイズでホワイトボード画面２００ｃ〜２００ｄを表示する。
【００３２】
さらに、中央制御端末１０１は、上記規定された基本表示サイズに応じて、ユーザ端末１０３〜１０５に各ホワイトボード画面に表示する構成要素のデータであるホワイトボード画面構成データを定期的に更新・送信する。本実施の形態では、ホワイトボード画面構成データの更新・送信は定期的にされるが、中央制御端末１０１又はユーザ端末１０３〜１０５のいずれかで付箋紙要素データ（図４）が追加される毎にホワイトボード画面構成データの更新・送信をするようにしてもよい。
【００３３】
ユーザ端末１０３は、中央制御端末１０１から定期的に送信されるホワイトボード画面構成データに基づいて、ディスプレイ１０３ａ上にホワイトボード画面２００ｂを更新・表示する。ユーザ端末１０３に送信されるホワイトボード画面構成データは、ホワイトボード画面２００ａの構成要素の全要素である。即ち、ホワイトボード画面２００ｂは、ホワイトボード画面２００ａと同一の画面（以下「共通画面」という）となる。これは、ユーザ端末１０３は、中央制御端末１０１のディスプレイ１０１ａより表示能力が大きいディスプレイ１０３ａを備えるので、ホワイトボード画面２００ａと同一の画面構成のものを確実に表示できるためであり、また、ユーザ端末１０３は、高速通信可能な８０２．１１ｂにより中央制御端末１０１と無線通信を行っているので、比較的大容量のデータを受信しても通信トラフィックが生ずることがないからである。
【００３４】
また、ユーザ端末１０３のディスプレイ１０３ａは、中央制御端末１０１のディスプレイ１０１ａより画素サイズが大きい為、ディスプレイ１０３ａの全画面中の一部分を用いてホワイトボード画面２００ａが表示される。
【００３５】
ユーザ端末１０４は、ユーザ端末１０３と同様、中央制御端末１０１から定期的に送信されるホワイトボード画面構成データに基づいて、ディスプレイ１０４ａに表示されるホワイトボード画面２００ｃを更新・表示する。ユーザ端末１０４に送信されるホワイトボード画面構成データは、ホワイトボード画面２００ａの構成要素の一部のみである。即ち、ホワイトボード画面２００ｃは、ホワイトボード画面２００ａの一部のみと重複した画面となる。これは、ユーザ端末１０４は、中央制御端末１０１のディスプレイ１０１ａより表示能力が小さいディスプレイ１０４ａを備えるので、ホワイトボード画面２００ａと同一の画面構成のものを表示できないためであり、また、ユーザ端末１０４は、高速通信可能でないＢｌｕｅｔｏｏｔｈにより中央制御端末１０１と無線通信を行うっているので、ホワイトボード画面構成データの全てを受信することとすると通信トラフィックが生じるおそれがあるからである。
【００３６】
従って、ユーザ端末１０４のディスプレイ１０４ａは、ディスプレイ１０４ａに表示されるホワイトボード画面はホワイトボード画面１０１ａに表示される内容を簡略化したもの（以下「簡略画面」という。）が表示される。
【００３７】
ユーザ端末１０５は、ユーザ端末１０３と同様、中央制御端末１０１から定期的に送信されるホワイトボード画面構成データに基づいて、ディスプレイ１０５ａに表示されるホワイトボード画面２００ｄを更新・表示する。
【００３８】
ユーザ端末１０５のディスプレイ１０５ａは、中央制御端末１０１のディスプレイ１０１ａと画素サイズは同一であるため、ホワイトボード画面２００ａと同一の画面構成のものを確実に表示できるが、ユーザ端末１０５は、高速通信可能でないＢｌｕｅｔｏｏｔｈにより中央制御端末１０１と無線通信を行っているので、比較的大容量のデータを受信しても通信トラフィックが生ずるおそれがある。
【００３９】
かかる場合、中央制御端末１０１は、後述する図５，図６の基本表示サイズ規定処理において、まず、基本表示サイズをホワイトボード画面２００ａと同一サイズ（以下「共通画面表示サイズ」という。）とするか、ホワイトボード画面２００ａより小さいサイズ（以下「簡略画面表示サイズ」という。）とするかをユーザ選択させる選択画面（不図示）をユーザ端末１０５に表示させ、この選択画面上でユーザ選択された基本表示サイズでホワイトボード画面２００ｄを表示させる。その後、中央制御端末１０１は、選択されたサイズが共通画面サイズであるときは、ホワイトボード画面２００ａの全ての構成要素をホワイトボード画面構成データとして送信し、選択されたサイズが簡略画面サイズであるときは、ホワイトボード画面２００ａの一部の構成要素をホワイトボード画面構成データとして送信する。
【００４０】
図２は、ホワイトボード画面を示す図であり、（ａ）は図１におけるホワイトボード画面２００ｂであり、（ｂ）は図１におけるホワイトボード画面２００ｃである。
【００４１】
図２（ａ）において、共通画面表示サイズで表示されるホワイトボード画面２００ｂは、ホワイトボード画面２００ａに表示される画面構成と全く同一であり、各ユーザ端末１０３〜１０５より入力された付箋紙要素データを付箋紙の形式で表示する付箋紙要素２０３〜２０８と、付箋紙要素２０３〜２０８をＧＵＩ上でグループ分けするグループ領域２０１，２０２とから構成される。
【００４２】
付箋紙要素２０３〜２０８は、入力順に通し番号が付加され、また、どの参加者が書き込んだものかが一目でわかるように入力ユーザ毎に色分けされている。
【００４３】
ユーザ端末１０３〜１０５より入力される付箋紙要素データがテキスト形式のデータのみから成る場合、そのテキスト部分の内容が付箋紙要素２０３，２０４，２０５，２０６，２０８のように表示される。
【００４４】
また、ユーザ端末１０３〜１０５より入力される付箋紙要素データがテキスト形式以外のデータを含む場合、そのデータは付箋紙要素データ中の添付ファイルとして中央制御端末１０１に送信される。例えば、テキスト形式のデータ以外に画像データから成る添付ファイルを有する付箋紙要素データが中央制御端末１０１に送信された場合、付箋紙要素２０７のように、テキスト部分の内容に添付ファイル中の画像データが表示される。尚、この付箋紙要素データ中の添付ファイルとして送信できるデータは、画像データに限るものでなく、音声データや動画データであってもよい。
【００４５】
グループ情報２０１，２０２は、付箋紙要素２０３〜２０８を中央制御端末１０１のＧＵＩ上でグループ分けするもので、たとえばある提案についての賛成意見のグループと反対意見のグループに整理する等の目的で用いられる。グループ情報は二つに限ったものではなく、必要に応じて新たに追加することができる。
【００４６】
例えば、ユーザによっていずれかのユーザ端末１０３〜１０５上で入力されたばかりの付箋紙要素データは、図２の付箋紙要素２０８のようにいずれのグループ領域にも属していない状態でホワイトボード画面２００ａ上に表示される。
【００４７】
付箋紙要素２０３〜２０８はホワイトボード画面２００ａ上でのみ任意に移動が可能で、設定された領域内に移動させることで、領域に設定されたグループ情報（たとえば「賛成」など）がその付箋紙要素データの付加情報となる。
【００４８】
図２（ｂ）において、簡略画面表示サイズで表示されるホワイトボード画面２００ｃは、付箋紙要素２０３〜２０８に付加された通し番号のみをアイコン表示するアイコン２１３〜２１８と、背景画面を分割する形で構成される領域２１１，２１２，２１３とを備える。
【００４９】
アイコン２１３〜２１８は、いずれか一つが選択されると、アイコン表示された通し番号に対応する付箋紙要素データの内容をホワイトボード画面２００ｃに展開する。上記選択された付箋紙データがテキスト形式以外のデータから成る添付ファイルを有するものである場合には、アイコン２１７のようにそのアイコン表示の一部を変化させる。
【００５０】
領域２１１，２１２は、夫々ホワイトボード画面２００ａのグループ領域２０１，２０２に対応するものであり、領域２１３はグループ分けが未設定の領域である。
【００５１】
このように、簡略画面表示サイズで表示されるホワイトボード画面２００ｃは、ホワイトボード画面２００ａより狭い画素サイズで表示するため、ホワイトボード画面２００ａと同じ画面構成で表示することは不可能だが、ＧＵＩ的な要素を廃し、後述する図３のような複数の表示状態を用意することでホワイトボード画面２００ａに表示される内容の全体を網羅するようにしている。
【００５２】
図３は、図１におけるユーザ端末１０３で表示されるホワイトボード画面の他の表示状態の具体例を示す図である。
【００５３】
図３において、ホワイトボード画面３００ａは特定の付箋紙要素データの詳細な内容を確認したい場合の表示状態で、ホワイトボード画面２００ｃの状態から目的のアイコン２１３〜２１８を選択することで、付箋紙要素３０１のように選択された付箋紙要素データのテキスト内容を拡大表示する。選択された付箋紙要素データが添付ファイルを有する場合、付箋紙要素データ３０１の一部に添付ファイルが有ることを示すアイコン３０２が付加され、このアイコン３０２がユーザ選択されたとき、その添付ファイルを中央制御端末１０１から受信し、ホワイトボード画面３００ｂのように受信した添付ファイルを展開・表示する。
【００５４】
また、付箋紙要素データの内容のうちテキスト部分のみを一覧表示したい場合、付箋紙要素データのテキスト内容の一部もしくは全部が通し番号の順に表示するテキスト表示部３０４ａ〜３０４ｅと、付箋紙要素データに付加されたグループ情報を表示するグループ表示部３０５ａ〜３０５ｅと、画面表示されてない付箋紙要素データの内容を順次閲覧可能とするスクロールバー３０８とを備えるホワイトボード画面３００ｃに画面切り替えを行うことができる。
【００５５】
テキスト表示部３０４ｅのように、対応する付箋紙要素データがテキスト形式以外のデータから成る添付ファイルを有するものである場合、その一部に添付ファイルが有ることを示すアイコン３０７が付加され、このアイコン３０７がユーザ選択されたとき、その添付ファイルを中央制御端末１０１から受信し、展開・表示する。
【００５６】
ホワイトボード画面３００ｄは、ホワイトボード画面に書き込みをする場合、ユーザによる画面切り替えにより表示される書き込み画面で、付箋紙要素データのテキスト内容が書き込まれる主入力エリア３０９と、添付ファイルを選択し、付箋紙要素データの添付ファイルとするファイル添付ボタン３１０と、中央制御端末１０１に対して付箋紙要素データの内容のアップロード作業を行うＵＰＬＯＡＤボタン３１１とを備える。
【００５７】
このホワイトボード画面３００ｄがユーザ端末１０４のディスプレイ１０４ａに表示されている間は、中央制御端末１０１から定期的に送信されるホワイトボード画面作成データに基づく画面更新は行われず、データ作成専用画面として機能する。また、ＵＰＬＯＡＤボタン３１１が押下されたとき、電子ホワイトボード機能の画面へと変更される。同様の書き込み画面は、ホワイトボード画面２００ｂ，２００ｄでもユーザによる画面切り替えにより表示される。
【００５８】
以上のように、作業状態に応じて画面構成を変更するので、通信するデータの内容もその都度きめ細かく制御することができ、無線回線容量の少ないときも通信トラフィックの負荷を減らしてスムーズなネットワーク共有による協調作業を行うことができる。
【００５９】
図４は、中央制御端末１０１及びユーザ端末１０３〜１０５で作成されたデータに基づいて定期的に中央制御端末１０１で更新されるホワイトボード画面作成データの情報内容一覧である。
【００６０】
図４において、中央制御端末１０１で定期的に更新されるホワイトボード画面作成データは、ユーザ端末１０３〜１０５から中央制御端末１０１に付箋紙要素データが入力された順に付加される通し番号データ４００（各ユーザ端末固有の端末識別情報）と、各付箋紙要素データがユーザ端末１０３〜１０５のいずれから送信されたものかを示す作成者データ４０１と、各付箋紙要素データのグループ情報を示す分類データ４０２（進行中の協調作業を識別する為の作業種別情報）と、各付箋紙要素データに添付ファイルが有るか否かを示す添付ファイル有無データ４０３（各ユーザ端末固有の端末識別情報）と、付箋紙要素データに有った添付ファイルの中央制御端末１０１における保存先を示す添付ファイルパスデータ４０４と、各付箋紙要素データのテキスト部分の内容を示す本文データ４０５とを備える。
【００６１】
これらの付箋紙要素データは、中央制御端末１０１が集中管理し、規定された基本表示サイズに応じてユーザ端末１０３〜１０５に定期的に送信し、通信トラフィックの抑制を行う。
【００６２】
例えば、共通画面表示サイズで表示されるユーザ端末１０３には、ホワイトボード画面作成データは、付箋紙要素データそのものと、その付箋紙要素データに中央制御端末１０１で付加された通し番号データ４００と、作成者データ４０１と、分類データ４０２とが送付され、これらをもとにホワイトボード画面２００ｂを構成する。
【００６３】
また、簡略画面表示サイズで表示されるユーザ端末１０４には、ホワイトボード画面作成データは、通し番号データ４００と、作成者データ４０１と、分類データ４０２と、添付ファイル有無データ４０３と、添付ファイルパスデータ４０４とが送付され、これらをもとにホワイトボード画面２００ｃを構成する。
【００６４】
これらのデータは、各ユーザ端末１０３〜１０５からのデータ入力、改定作業に対応して更新され、定期的に前記情報群の更新差分情報を各ユーザ端末１０３〜１０５に送信する。
【００６５】
ホワイトボード画面２００ｃからホワイトボード画面３００ａに画面切り替えが行われたとき、ユーザ端末１０４にホワイトボード画面作成データとして、選択された付箋紙要素データの本文データ４０５が追加データとして送信される。
【００６６】
ホワイトボード画面２００ｃからホワイトボード画面３００ｂに画面切り替えが行われたとき、ユーザ端末１０４にホワイトボード画面作成データとして、中央制御端末１０１で保存される添付ファイルのうち添付ファイルパスデータ４０４に示されるものが送信され、その添付ファイルの内容が展開・表示される。
【００６７】
ホワイトボード画面２００ｃからホワイトボード画面３００ｃに画面切り替えが行われたとき、ユーザ端末１０４にホワイトボード画面作成データとして、各付箋紙要素データの本文データ４０５が追加データとして送信される。
【００６８】
また、ホワイトボード画面２００ｃからホワイトボード画面３００ｄに画面切り替えが行われたとき、ユーザ端末１０４がデータ入力モードになっている為、再びホワイトボード画面２００ｃに画面切り替えが行われるまでユーザ端末１０４ではホワイトボード画面の更新は行われない。
【００６９】
以下、図５〜図７で無線電子協調作業システム１００によるホワイトボード画面表示処理について説明する。
【００７０】
この処理は、以下の図５，６で説明するホワイトボード画面の基本表示サイズ規定処理と、図７で説明するホワイトボード画面への書き込み・更新処理に大別される。また、電子ホワイトボードアプリケーションの動作が停止した端末は、その時点でこのホワイトボード画面表示処理を強制終了する。
【００７１】
図５，図６は、無線電子協調作業システム１００によるホワイトボード画面の基本表示サイズ規定処理のシーケンス図である。
【００７２】
図５において、まず中央制御端末１０１において電子ホワイトボードアプリケーションが起動する（ステップＳ１００ｄ）。
【００７３】
ユーザ端末１０３〜１０５においても、ステップＳ１００ａ〜Ｓ１００ｄで電子ホワイトボードアプリケーションが起動すると、ユーザ端末１０３〜１０５は中央制御端末１０１にユーザ端末１０３〜１０５夫々のディスプレイ１０３ａ〜１０５ａの画素サイズの情報である画素サイズ情報を送信する（ステップＳ１０１ａ〜Ｓ１０１ｃ）。
【００７４】
ステップＳ１００ｄで電子ホワイトボードアプリケーションが起動した後、中央制御端末１０１は、ユーザ端末１０３〜１０５の画素サイズ情報及び付箋紙要素データを一時的に保存するバッファリングを開始する（ステップＳ１０１ａ）。これにより、ユーザ端末１０３〜１０５のうち２以上から同時に画素サイズ情報が送信されても、中央制御端末１０１が確実にユーザ端末１０３〜１０５からの画素サイズ情報を受信することができる。
【００７５】
また、このバッファリングは、中央制御端末１０１で電子ホワイトボードアプリケーションの動作が停止し、本処理が強制終了となるまで常時行われる。これにより、後述するステップＳ１０４以下の処理の実行中に、ユーザ端末１０３〜１０５のいずれかの電子ホワイトボードアプリケーションが起動し、中央制御端末１０１にその画素サイズ情報が送信された場合であっても、中央制御端末１０１は確実にその画素サイズ情報を受信することができる。従って、図５のフローチャートでは、ユーザ端末１０３〜１０５及び中央制御端末１０１において、電子ホワイトボードアプリケーションの起動がほぼ同時に行われているが、中央制御端末１０１における電子ホワイトボードアプリケーションの起動がユーザ端末１０３〜１０５より前に行われており、ユーザ端末１０３〜１０５からの画素サイズ情報が中央制御端末１０１で一時的にバッファリングされる形態であればこのような実施形態に限定されない。
【００７６】
その後、中央制御端末１０１は、ディスプレイ１０１ａにホワイトボード画面２００ａを構築・表示し（ステップＳ１０２）（構築手段）、その後、同一画面を液晶プロジェクタ１０２に拡大表示する（ステップＳ１０３）。
【００７７】
次に、中央制御端末１０１は、ホワイトボード画面構成データを作成した後（ステップＳ１０４）、バッファリングされた画素サイズ情報が有るか否かを判別し（ステップＳ１０５）、無いときは図７のステップＳ２０９に進み、一定時間が経過したときに再度このステップＳ１０５の処理を行う。これにより、この基本表示サイズ規定処理の実行中に画素サイズ情報を送信したユーザ端末についても、確実にそのホワイトボード画面の基本表示サイズを規定することができる。
【００７８】
一方、ステップＳ１０５の判別の結果、バッファリングされた画素サイズ情報が有るときは、画素サイズ情報として受信した画素サイズが中央制御端末１０１の備えるディスプレイ１０１ａより大きいか否かを判別する（ステップＳ１０６）（表示能力判別手段）。
【００７９】
ステップＳ１０６の判別の結果、その画素サイズがディスプレイ１０１ａより大きいときは、その画素サイズのディスプレイの表示能力はディスプレイ１０１ａの表示能力と同等であると判別して、その画素サイズのディスプレイを有するユーザ端末について、そのホワイトボード画面の基本表示サイズを共通画面表示サイズに規定する（ステップＳ１０７）（基本表示サイズ規定手段）。これにより、確実にホワイトボード画面を統一した画面構成とすることができる。
【００８０】
その後、このユーザ端末に共通画面表示サイズのデータを基本表示サイズデータとして送信し（ステップＳ１０８）（基本表示サイズ送信手段）、後述する図７のステップＳ２００ｂの処理に進む。
【００８１】
ステップＳ１０８で共通画面表示サイズのデータが送信されたユーザ端末は、ホワイトボード画面２００ａと同一サイズでホワイトボード画面をそのディスプレイ上に表示し（ステップＳ１０９）、後述する図７のステップＳ２００ａに進む。本実施の形態においては、ユーザ端末１０３のディスプレイ１０３ａが中央制御端末１０１のディスプレイ１０１ａより大きく、ディスプレイ１０３ａの一部にホワイトボード画面２００ａと同一サイズであるホワイトボード画面２００ｂが表示される。
【００８２】
一方、ステップＳ１０６の判別の結果、その画素サイズがディスプレイ１０１ａより大きくないときは、画素サイズ情報として受信した画素サイズがディスプレイ１０１ａより小さいか否かを判別する（ステップＳ１１０）（表示能力判別手段）。
【００８３】
ステップＳ１１０の判別の結果、その画素サイズがディスプレイ１０１ａより小さいときは、その画素サイズのディスプレイの表示能力はディスプレイ１０１ａの表示能力以下であると判別して、その画素サイズのディスプレイを有するユーザ端末のホワイト画面の基本表示サイズを簡略画面表示サイズに規定する（ステップＳ１１１）（基本表示サイズ規定手段）。これにより、ユーザ端末のディスプレイの画素サイズが小さくても、ホワイトボード画面を統一した画面構成とすることができる。
【００８４】
その後、このユーザ端末に簡略画面表示サイズのデータを基本表示サイズデータとして送信し（ステップＳ１１２）（基本表示サイズ送信手段）、後述する図７のステップＳ２００ｂの処理に進む。
【００８５】
ステップＳ１１２で簡略画面表示サイズのデータが送信されたユーザ端末は、ホワイトボード画面２００ａより小さいサイズのホワイトボード画面を表示し（ステップＳ１１３）、図７のホワイトボード画面への書き込み・更新処理に進む。本実施の形態においては、ユーザ端末１０４のディスプレイ１０４ａが中央制御端末１０１のディスプレイ１０１ａより小さいため、ディスプレイ１０４ａに図２のホワイトボード画面２００ｃが表示される。
【００８６】
次に、通信方式が高速通信可能であるか否かを判別する（ステップＳ１１４）（容量判別手段）。具体的には、本実施の形態のユーザ端末１０３〜１０５において、その通信部が８０２．１１ｂにより無線通信を行うものであるとき、通信方式が高速通信可能であると判別され、その通信部がＢｌｕｅｔｏｏｔｈによる無線通信を行うものであるとき、通信方式は高速通信可能でないと判別される。これにより、ステップＳ１０６，Ｓ１１０において、画素サイズがディスプレイ１０１ａより大きくも小さくもない、即ち同一であると判別されたユーザ端末に対しては、高速通信可能（無線回線容量が大きいか）であるか否かによって基本表示サイズを規定するので、各ユーザ端末の表示画面サイズ及び通信速度に応じて、リアルタイムで確実にホワイトボード画面を表示することができる。
【００８７】
ステップＳ１１４の判別の結果、通信方式が高速通信可能である、即ち、８０２．１１ｂによる無線通信であるときは、そのホワイトボード画面の基本表示サイズを共通画面表示サイズに規定し（ステップＳ１１５）（基本表示サイズ規定手段）、共通画面表示サイズのデータを基本表示サイズデータとして送信する（ステップＳ１１６）（基本表示サイズ送信手段）。その後、図７のステップＳ２００ｂに進む。
【００８８】
ステップＳ１１６で基本表示サイズのデータが送信されたユーザ端末は、ホワイトボード画面２００ａと同一サイズでホワイトボード画面を表示し（ステップＳ１１７）、図７のホワイトボード画面への書き込み・更新処理に進む。
【００８９】
一方、ステップＳ１１４の判別の結果、通信方式が高速通信可能でない、即ち、Ｂｌｕｅｔｏｏｔｈによる無線通信であるときは、選択画面構成データを作成し（ステップＳ１１８）、そのユーザ端末に送信する（ステップＳ１１９）。
【００９０】
ステップＳ１１９で選択画面構成データが送信されたユーザ端末は、選択画面を表示する（ステップＳ１２０）。このユーザ端末のディスプレイに表示された選択画面で、ホワイトボード画面を共通画面表示サイズとするか簡略画面表示サイズとするかを選択する選択情報がユーザ入力されると（ステップＳ１２１でＹＥＳ）、その選択情報を中央制御端末１０１に送信する（ステップＳ１２２）。
【００９１】
中央制御端末１０１は、ステップＳ１２２の選択情報を受信すると、この選択情報に基づいて、このユーザ端末のホワイトボード画面の基本表示サイズを規定する（ステップＳ１２３）。これにより、より確実にホワイトボード画面を統一した画面構成とすることができる。
【００９２】
その後、規定された基本表示サイズデータをそのユーザ端末に送信すると（ステップＳ１２４）、この基本表示サイズのデータが送信されたユーザ端末は、規定された基本表示サイズでホワイトボード画面を表示する（ステップＳ１１７）。
【００９３】
本実施の形態においては、中央制御端末１０１のディスプレイ１０１ａと同一サイズのディスプレイ１０５ａを備え、且つ、Ｂｌｕｅｔｏｏｔｈにより無線通信を行う通信部１０５ｂを備えるユーザ端末１０５には、まず、ディスプレイ１０５ａに選択画面が表示され（ステップＳ１２０）、この選択画面によってユーザ選択された選択情報に基づき、規定された基本表示サイズのホワイトボード画面２００ｄが表示される（ステップＳ１１７）。
【００９４】
これにより、ユーザ端末１０５の備えるディスプレイ１０５ａで表示された選択画面でホワイトボード画面を共通画面表示サイズとする旨のユーザ選択がされたときは、ディスプレイ１０５ａの画素サイズが中央制御端末１０１の備えるディスプレイ１０１ａと同一であるため、画面構成を液晶プロジェクタ１０２に表示されているものと同一にできるが、ユーザ端末１０５の備える通信部１０５ｂはＢｌｕｅｔｏｏｔｈを通信方式に採用しており高速通信可能でないため、中央制御端末１０１においてホワイトボード画面構成データが更新されても、その内容がホワイトボード画面２００ｄで表示されるまでに時間差が生じることとなる。
【００９５】
一方、ディスプレイ１０５ａで表示された選択画面でホワイトボード画面を簡略画面サイズとする旨のユーザ選択がされたときは、画面構成は液晶プロジェクタ１０２に表示されるものと比べて簡略化されてしまうが、送信される情報量が少ないため、通信部１０５ｂがＢｌｕｅｔｏｏｔｈを通信方式に採用しており高速通信可能でなくても、中央制御端末１０１において更新されたホワイトボード画面構成データの内容をリアルタイムでホワイトボード画面２００ｄに表示することができる。
【００９６】
図５のホワイトボード画面の基本表示サイズ規定処理によれば、中央制御端末１０１で判別された各ユーザ端末１０３〜１０５の通信方式及び画素サイズに基づいて規定された基本表示サイズで各ユーザ端末１０３〜１０５のホワイトボード画面を表示するので（ステップＳ１０９，Ｓ１１３，Ｓ１１７）、各ユーザ端末１０３〜１０５の画素サイズに関わらず、ホワイトボード画面を統一した画面構成とすることができ、且つ通信速度の程度に関わらず、リアルタイムでホワイトボード画面を表示することができる。
【００９７】
次に、ホワイトボード画面への書き込み・更新処理について説明する。
【００９８】
図７は、無線電子協調作業システム１００によるホワイトボード画面への書き込み・更新処理のシーケンス図である。本処理において、ユーザ端末１０４，１０５については、ユーザ端末１０３と同様の処理を行うため、説明を省略する。
【００９９】
図７において、まず、ユーザ端末１０３において、ユーザ入力により書き込み画面が表示されたか否かを判別し（ステップＳ２００ａ）、表示されないときは中央制御端末１０１からホワイトボード画面構成データの送信が有ったか否かを判別する（ステップＳ２０１）。
【０１００】
ステップＳ２０１の判別の結果、ホワイトボード画面構成データの送信が無かったときは直接、有ったときはホワイトボード画面２００ｂの表示を送信されたホワイトボード画面構成データに基づいて更新した後（ステップＳ２０８）、ステップＳ２００ａの処理に戻る。
【０１０１】
ステップＳ２００ａの判別の結果、書き込み画面が表示されたときは、付箋紙要素データのユーザ入力が有ったとき（ステップＳ２０２でＹＥＳ）、付箋紙要素データを中央制御端末１０１に送信し（ステップＳ２０３）、ＵＰＬＯＡＤボタンの押下があるまで（ステップＳ２０３ａでＹＥＳ）、ステップＳ２０２からの処理を繰り返す。
【０１０２】
一方、中央制御端末１０１は、本処理が開始すると、まず、バッファリングされた付箋紙要素データが有るか否かを判別する（ステップＳ２００ｂ）。ここで、付箋紙要素データは、ユーザ端末１０３からステップＳ２０３の処理により送信されるもののみならず、本フローチャートでは省略しているがユーザ端末１０４，１０５からステップＳ２０３と同様の処理により送信されるものや、中央制御端末１０１自身により追加されたものがある。
【０１０３】
バッファリングされた付箋紙要素データがないときは（ステップＳ２００ｂでＮＯ）、一定時間が経過中は（ステップＳ２０９でＹＥＳ）、ステップＳ２０９の判別処理を繰り返し行う。このように、中央制御端末１０１はユーザ端末１０３〜１０５からの付箋紙要素データを直接処理するのでなく、一時的にバッファリングするため、２以上のユーザ端末から同時に付箋紙要素データが送信されても、中央制御端末１０１で確実に付箋紙要素データを受信することができる。
【０１０４】
また、このバッファリングは、上述したように中央制御端末１０１で電子ホワイトボードアプリケーションの動作が停止し、本処理が強制終了となるまで常時行われる。これにより、後述するステップＳ２０４以下の処理の実行中に、ユーザ端末１０３〜１０５より付箋紙要素データが送信された場合であっても、中央制御端末１０１で確実に付箋紙要素データを受信することができる。従って、図７のフローチャートでは、本処理の開始とほぼ同時に、ユーザ端末１０３から中央制御端末１０１に付箋紙要素データが送信されているが、中央制御端末１０１における電子ホワイトボードアプリケーションの起動がユーザ端末１０３〜１０５より前に行われており、ユーザ端末１０３〜１０５からの付箋紙要素データが中央制御端末１０１で一時的にバッファリングされる形態であればこのような実施形態に限定されない。
【０１０５】
ステップＳ２００ｂの判別の結果、付箋紙要素データがバッファリングされないまま一定時間が経過したときは（ステップＳ２０９でＹＥＳ）、図５のステップＳ１０５からの処理を行う。
【０１０６】
一方、ステップＳ２００ｂの判別の結果、一定時間が経過するまでに（ステップＳ２０９でＮＯ）、付箋紙要素データがバッファリングされたときは、ホワイトボード画面２００ａを再構築し、表示する（ステップＳ２０４）。その後、同一画面を液晶プロジェクタ１０２に拡大表示する（ステップＳ２０５）。
【０１０７】
その後、バッファリングされた付箋紙要素データに基づいてホワイトボード画面構成データを更新する（ステップＳ２０６）。具体的には、ホワイトボード画面を共通画面表示サイズで表示するユーザ端末に対するホワイトボード画面構成データは、バッファリングされた付箋紙要素データ、その入力順に付加した通し番号、及び中央制御端末１０１のホワイトボード２００ａ上で各付箋紙要素データをグループ分けした情報であるグループ情報から成る。また、ホワイトボード画面を簡略画面表示サイズで表示するユーザ端末に対するホワイトボード画面構成データは、上記通し番号、グループ情報、及び付箋紙要素データ中のテキストデータの他、付箋紙要素データ中の添付ファイル有無を示すデータから成る。
【０１０８】
その後、中央制御端末１０１は、各ユーザ端末１０３〜１０５にこの更新したホワイトボード画面構成データを規定された基本表示サイズに応じて送信し（ステップＳ２０７）、一定時間が経過したときに（ステップＳ２０９でＹＥＳ）、ステップＳ１０５からの処理を行う。
【０１０９】
ユーザ端末１０３は、ステップＳ２０３ａの判別の結果、ＵＰＬＯＡＤボタンの押下があったとき、ホワイトボード画面を書き込み画面からホワイトボード画面２００ｂに切り替え、ステップＳ２０７で受信したホワイトボード画面構成データに基づいてホワイトボード画面２００ｂの表示を更新し（ステップＳ２０８）、その後、ステップＳ２００ａの処理に戻る。
【０１１０】
図６のホワイトボード画面への書き込み・更新処理によれば、ユーザ端末１０３〜１０５から送信された付箋紙要素データが中央制御端末１０１で一時的にバッファリングされているとき（ステップＳ２００ｂでＹＥＳ）、ホワイトボード画面構成データを各基本表示サイズ毎に更新した後（ステップＳ２０６）、規定された基本表示サイズに応じたホワイトボード画面構成データをユーザ端末１０３〜１０５に送信するので（ステップＳ２０７）、中央制御端末１０１及びユーザ端末１０３〜１０５のいずれかで入力された付箋紙要素データを各ユーザ端末１０３〜１０５のホワイトボード画面２００ｂ〜２００ｄに確実に更新表示することができる。
【０１１１】
例えばＰＤＡから成るユーザ端末１０４の様な画面サイズの小さなものに対しては表示項目の一部分を非表示にすることで全体の画面構成をコンパクトにし、かつそれに伴うデータ通信量も削減することで、作業効率を落とさずに協調作業環境を維持することが可能となる。また、ユーザ端末がＮｏｔｅＰＣであっても、用いる通信路Ｂｌｕｅｔｏｏｔｈのような低速なものである場合には、同様の構成をとることで通信路の速度の遅さが原因となる作業効率の低下を防ぐことが出来る。
【０１１２】
本発明は、上述した実施の形態の機能を実現するソフトウェアのプログラム（図５〜図７のフローチャート）をＣＰＵに供給し、ＣＰＵが該供給されたプログラムを読出して実行することによって、達成することができる。
【０１１３】
この場合、上記プログラムは、該プログラムを記録した記憶媒体から直接供給されるか、又はインターネット、商用ネットワーク、若しくはローカルエリアネットワーク等に接続される不図示の他のコンピュータやデータベース等からダウンロードすることにより供給される。
【０１１４】
上記プログラムの形態は、オブジェクトコード、インタプリタにより実行されるプログラムコード、ＯＳ（オペレーティングシステム）に供給されるスクリプトデータ等の形態から成ってもよい。
【０１１５】
また、本発明は、上述した実施の形態の機能を実現するソフトウェアのプログラムを記憶した記憶媒体をＣＰＵに供給し、そのＣＰＵがＲＯＭに記憶されたプログラムを読出して実行することによっても、達成することができる。
【０１１６】
この場合、格納媒体から読出されたプログラムコード自体が上述した各実施の形態の機能を実現すると共に、そのプログラムコードを記憶したＲＯＭは本発明を構成する。
【０１１７】
本実施の形態に係るプログラムコードを記憶する記憶媒体は、ＲＯＭであったが、これに限定されるわけでなく、例えば、ＲＡＭ、ＮＶ−ＲＡＭ、フロッピー（登録商標）ディスク、ハードディスク、光ディスク、光磁気ディスク、ＣＤ−ＲＯＭ、ＭＯ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード等がある。
【０１１８】
上述した実施の形態の機能は、コンピュータから読出されたプログラムコードを実行することによるばかりでなく、コンピュータ上で稼動するＯＳ等がプログラムコードの指示に基づいて実際の処理の一部又は全部を行うことによっても実現することができる。
【０１１９】
本発明の実施態様の例を以下に列挙する。
【０１２０】
〔実施態様１〕  ２以上の通信方式により無線通信を行う無線通信手段及び共通閲覧用画面の表示を制御する表示手段を備える中央制御装置と、前記通信方式の一つにより前記中央制御装置と無線通信を行う他の無線通信手段及び他の共通閲覧用画面を表示する他の表示手段を備える複数のユーザ端末を有する電子協調作業システムにおいて、前記中央制御装置は、前記表示する共通閲覧用画面を構築する構築手段と、前記ユーザ端末毎に無線回線容量を判別する容量判別手段と、前記ユーザ端末毎に表示能力を判別する表示能力判別手段と、前記ユーザ端末毎に判別された無線回線容量及び表示能力に基づいて、前記ユーザ端末毎に前記他の共通閲覧用画面の基本表示サイズを規定する基本表示サイズ規定手段と、前記規定された基本表示サイズをデータ送信する基本表示サイズ送信手段と備え、前記他の表示手段は、前記送信された基本表示サイズで他の共通閲覧用画面を表示すること特徴とする電子協調作業システム。
【０１２１】
〔実施態様２〕  前記容量判別手段は、前記他の通信手段の通信方式が高速通信可能なものであるとき、当該無線回線容量は大きいと判別し、高速通信可能でないものであるとき、当該無線回線容量は小さいと判別することを特徴とする実施態様１記載の電子協調作業システム。
【０１２２】
この実施態様により、各ユーザ端末はその通信速度に応じて基本表示サイズを規定するので、適切なホワイトボード画面をそのユーザ端末において表示させることができる。
【０１２３】
〔実施態様３〕  前記各ユーザ端末は、自身の他の表示手段の画素サイズを前記中央制御装置にデータ送信する画素サイズ送信手段を更に備え、表示能力判別手段は、前記送信された各ユーザ端末の他の表示手段の画素サイズが前記中央制御装置の表示手段の画素サイズより小さいものについては、その表示能力は前記中央制御装置の表示能力以下であると判別することを特徴とする実施態様１又は２記載の電子協調作業システム。
【０１２４】
この実施態様により、ユーザ端末のディスプレイの画素サイズが小さくても、ホワイトボード画面を統一した画面構成とすることができる。
【０１２５】
〔実施態様４〕  前記表示能力判別手段は、前記ユーザ端末のうち、前記他の表示手段の画素サイズが前記中央制御装置の表示手段の画素サイズがより大きいものについては、その表示能力は前記中央制御装置の表示能力と同等であると判別することを特徴とする実施態様３記載の電子協調作業システム。
【０１２６】
この実施態様により、確実にホワイトボード画面を統一した画面構成とすることができる。
【０１２７】
〔実施態様５〕  前記中央制御装置は、前記複数のユーザ端末からデータ送信された画素サイズを一旦蓄積する蓄積手段をさらに備えることを特徴とする実施態様８記載の電子協調作業制御装置。
【０１２８】
この実施態様により、２以上のユーザ端末から同時にデータ送信された画素サイズがあっても確実に処理を行うことができる。
【０１２９】
〔実施態様６〕  前記表示能力判別手段は、前記複数のユーザ端末のうち、前記他の表示手段の画素サイズが前記中央制御装置の表示手段の画素サイズと同一であるものについては、前記容量判別手段により前記ユーザ端末毎に無線回線容量を判別することを特徴とする実施態様３記載の電子協調作業システム。
【０１３０】
この実施態様により、各ユーザ端末の表示画面サイズ及び通信速度に応じて、リアルタイムで確実にホワイトボード画面を表示することができる。
【０１３１】
〔実施態様７〕  前記中央制御装置は、前記複数のユーザ端末のうち、前記容量判別手段が当該無線回線容量は小さいと判別した一のユーザ端末に、ユーザによる基本表示サイズの選択が可能な選択画面を表示させる選択画面表示手段をさらに備え、基本表示サイズ規定手段は、前記一のユーザ端末で前記選択画面により基本表示サイズが選択されたときに、当該選択された基本表示サイズを前記一のユーザ端末における前記他の共通閲覧用画面の基本表示サイズに規定することを特徴とする実施態様６記載の電子協調作業システム。
【０１３２】
この実施態様により、より確実にホワイトボード画面を統一した画面構成とすることができる。
【０１３３】
〔実施態様８〕  前記各ユーザ端末は、個別入力データ及び付随データを前記他の共通閲覧用画面に入力するデータ入力手段と、前記入力された個別入力データ及び付随データを前記中央制御装置に送信するデータ送信手段と、
前記中央制御装置は、
前記蓄積された個別入力データ及び付随データを全て反映させた画面を構築する画面構築手段と、
前記構築された画面を表示する画面表示手段と、
前記蓄積された個別入力データ及び付随データに基づいて画面構成要素データを作成する画面構成要素作成手段と、
前記各ユーザ端末に対して規定された前記他の共通閲覧用画面の基本表示サイズに応じて、前記作成した画面構成要素データを選定するデータ選定・送信するデータ選定送信手段とを備えることを特徴とする実施態様１乃至７のいずれか１項に記載の電子協調作業制御装置。
【０１３４】
この実施態様により、前記中央制御装置及び前記ユーザ端末のいずれかで入力された個別入力データ及び付随データを各ユーザ端末１０３〜１０５のホワイトボード画面に確実に更新表示することができる。
【０１３５】
〔実施態様９〕  前記中央制御装置は、前記複数のユーザ端末から送信された個別入力データ及び付随データを一旦蓄積する蓄積手段をさらに備えることを特徴とする実施態様８記載の電子協調作業制御装置。
【０１３６】
この実施態様により、２以上のユーザ端末から同時に送信された個別入力データ及び付随データがあっても確実に処理を行うことができる。
【０１３７】
〔実施態様１０〕  前記基本表示サイズ規定手段は、
他の共通閲覧用画面の基本表示サイズを前記表示する共通閲覧用画面と同一サイズである共通画面表示サイズに規定する共通画面表示サイズ規定手段と、他の共通閲覧用画面の基本表示サイズを簡略化した小さいサイズである簡略画面表示サイズに規定する簡略画面表示サイズ規定手段とを備えることを特徴とする実施態様８又は９記載の電子協調作業システム。
【０１３８】
この実施態様により、確実にホワイトボード画面を統一した画面構成とすることができる。
【０１３９】
〔実施態様１１〕  前記データ選定・送信手段は、前記複数のユーザ端末のうち、前記他の共通閲覧用画面の基本表示サイズが前記簡略画面表示サイズに規定された一のユーザ端末に対して、前記各ユーザ端末固有の端末識別情報、前記各ユーサー端末を操作するユーザによって入力される固有のユーザ識別情報、及び進行中の協調作業を識別する為の作業種別情報とを選定・送信することを特徴とする実施態様９又は１０記載の電子協調作業制御装置。
【０１４０】
この実施態様により、各ユーザ端末の表示画面サイズ及び通信速度に応じて、リアルタイムで確実にホワイトボード画面を表示することができる。
【０１４１】
〔実施態様１２〕  前記一のユーザ端末は、前記ユーザ識別情報を前記他の共通閲覧用画面に選択可能に表示するユーザ識別情報表示手段と、前記選択可能に表示されたユーザ識別情報が選択されたとき、当該ユーザ識別情報に基づいて前記中央制御装置に前記付随データの送信を要求する付随データ要求手段とを備え、前記画面構成要素配信手段は、前記送信を要求された付随データを前記一のユーザ端末に送信する要求付随データ送信手段をさらに備えることを特徴とする実施態様１１記載の電子協調作業制御装置。
【０１４２】
この実施態様により、各ユーザ端末の表示画面サイズ及び通信速度に応じて、リアルタイムで確実にホワイトボード画面を表示することができる。
【０１４３】
〔実施態様１３〕  ２以上の通信方式により無線通信を行う無線通信手段及び共通閲覧用画面の表示を制御する表示手段を備える中央制御装置と、前記通信方式の一つにより前記中央制御装置と無線通信を行う他の無線通信手段及び他の共通閲覧用画面を表示する他の表示手段を備える複数のユーザ端末を有する電子協調作業システムの共通閲覧用画面表示方法において、前記中央制御装置により、前記表示する共通閲覧用画面を構築する構築ステップと、前記中央制御装置により、前記ユーザ端末毎に無線回線容量を判別する容量判別ステップと、前記中央制御装置により、前記ユーザ端末毎に表示能力を判別する表示能力判別ステップと、前記中央制御装置により、前記ユーザ端末毎に判別された無線回線容量及び表示能力に基づいて、前記ユーザ端末毎に前記他の共通閲覧用画面の基本表示サイズを規定する基本表示サイズ規定ステップと、前記中央制御装置により、前記規定された基本表示サイズをデータ送信する基本表示サイズ送信ステップと、前記他の表示手段により、前記送信された基本表示サイズで他の共通閲覧用画面を表示する表示ステップとを備えること特徴とする共通閲覧用画面表示方法。
【０１４４】
この実施態様により、各ユーザ端末の表示画面サイズに関わらず、共通閲覧用画面を統一した画面構成とすることができ、且つ通信速度の程度に関わらず、リアルタイムで共通閲覧用画面を表示することができる。
【０１４５】
〔実施態様１４〕  ２以上の通信方式により無線通信を行う無線通信手段及び共通閲覧用画面の表示を制御する表示手段を備える中央制御装置と、前記通信方式の一つにより前記中央制御装置と無線通信を行う他の無線通信手段及び他の共通閲覧用画面を表示する他の表示手段を備える複数のユーザ端末を有する電子協調作業システムの共通閲覧用画面表示方法とをコンピュータに実行させるプログラムにおいて、前記共通閲覧用画面表示方法は、前記中央制御装置により、前記表示する共通閲覧用画面を構築する構築ステップと、前記中央制御装置により、前記ユーザ端末毎に無線回線容量を判別する容量判別ステップと、前記中央制御装置により、前記ユーザ端末毎に表示能力を判別する表示能力判別ステップと、前記中央制御装置により、前記ユーザ端末毎に判別された無線回線容量及び表示能力に基づいて、前記ユーザ端末毎に前記他の共通閲覧用画面の基本表示サイズを規定する基本表示サイズ規定ステップと、前記中央制御装置により、前記規定された基本表示サイズをデータ送信する基本表示サイズ送信ステップと、前記他の表示手段により、前記送信された基本表示サイズで他の共通閲覧用画面を表示する表示ステップとを備えること特徴とするプログラム。
【０１４６】
この実施態様により、各ユーザ端末の表示画面サイズに関わらず、共通閲覧用画面を統一した画面構成とすることができ、且つ通信速度の程度に関わらず、リアルタイムで共通閲覧用画面を表示することができる。
【０１４７】
〔実施態様１５〕  実施態様１４記載のプログラムを格納するコンピュータ読取り可能な記憶媒体。
【０１４８】
【発明の効果】
以上詳細に説明したように、請求項１記載の電子協調作業システムによれば、中央制御装置で判別された各ユーザ端末の無線回線容量及び表示能力に基づいて規定された基本表示サイズで各ユーザ端末の共通閲覧用画面を表示するので、各ユーザ端末の表示画面サイズに関わらず、共通閲覧用画面を統一した画面構成とすることができ、且つ通信速度の程度に関わらず、リアルタイムで共通閲覧用画面を表示することができる。
【図面の簡単な説明】
【図１】本発明の実施の形態に係る無線電子協調作業システムの構成図である。
【図２】ホワイトボード画面を示す図であり、（ａ）は図１におけるホワイトボード画面２００ｂであり、（ｂ）は図１におけるホワイトボード画面２００ｃである。
【図３】図１におけるユーザ端末１０３で表示されるホワイトボード画面の他の表示状態の具体例を示す図である。
【図４】中央制御端末１０１及びユーザ端末１０３〜１０５で作成されたデータに基づいて定期的に中央制御端末１０１で更新されるホワイトボード画面作成データの情報内容一覧である。
【図５】無線電子協調作業システム１００によるホワイトボード画面の基本表示サイズ規定処理のシーケンス図である。
【図６】無線電子協調作業システム１００によるホワイトボード画面の基本表示サイズ規定処理のシーケンス図である。
【図７】無線電子協調作業システム１００によるホワイトボード画面への書き込み・更新処理のシーケンス図である。
【符号の説明】
１００  無線電子協調作業システム
１０１  中央制御端末
１０１ａ，１０３ａ〜１０５ａ  ディスプレイ
１０１ｂ，１０１ｃ，１０３ｂ〜１０５ｂ  通信部
１０２  液晶プロジェクタ
１０３〜１０５  ユーザ端末
２００ａ〜２００ｄ，３００ａ〜３００ｄ  ホワイトボード画面
【図１】
2004280540.tif 000003
【図２】
2004280540.tif 000004
【図３】
2004280540.tif 000005
【図４】
2004280540.tif 000006
【図５】
2004280540.tif 000007
【図６】
2004280540.tif 000008
【図７】
2004280540.tif 000009